(57)【要約】      （修正有）【課題】ＳＯＣの制御範囲の拡大に起因するバッテリの耐久性低下を未然に防止した上で、制御範囲の拡大領域を有効に利用して燃費を向上できるハイブリッド電気自動車の走行制御装置を提供する。【解決手段】車両１の前方に降坂路が予測された場合に、降坂路よりも手前の地点でバッテリのＳＯＣの制御範囲を拡大する。そして、降坂路への到達までの走行中に、モータの力行制御によりバッテリのＳＯＣを拡大後の制御範囲の下限ＳＯＣloexまで低下させる。また、その後の降坂路の走行中には、モータの回生制御によりＳＯＣを拡大後の制御範囲の上限ＳＯＣupexまで増加させる。下限側の拡大領域内ではモータに供給する電流を抑制し、上限側の拡大領域内ではモータにより発電される電流を抑制し、これによりＳＯＣの増減を緩やかにしてバッテリの劣化を防止する。【選択図】図３
2014111413.tif 000002
【特許請求の範囲】
【請求項１】
走行用動力源としてエンジン及びモータを搭載し、該エンジンの駆動力及び上記モータの力行制御による駆動力により走行し、降坂路では上記モータを回生制御して発電電力をバッテリに充電するハイブリッド電気自動車の走行制御装置において、
上記バッテリの充電率を予め設定された制御範囲に保ちながら、上記車両の走行中に上記エンジン及びモータの運転状態を制御する運転制御手段と、
上記車両の前方に存在する降坂路を予測する降坂路予測手段と、
上記降坂路予測手段により前方の降坂路が予測された場合に、該降坂路よりも手前の地点で上記充電率の制御範囲を拡大する制御範囲拡大手段と
を備え、
上記運転制御手段は、上記制御範囲拡大手段により上記充電率の制御範囲が拡大されたときに、上記車両が上記降坂路に到達するまでに上記モータの力行制御により上記バッテリの充電率を上記制御範囲の下限側の拡大領域内まで低下させると共に、該拡大領域内では上記モータに供給する電流を抑制することを特徴とするハイブリッド電気自動車の走行制御装置。
【請求項２】
上記運転制御手段は、上記車両が上記降坂路に到達して該降坂路を走行中のときに、上記モータの回生制御により上記バッテリの充電率を上記制御範囲の上限側の拡大領域内まで増加させると共に、該拡大領域内では上記モータにより発電される電流を抑制することを特徴とするハイブリッド電気自動車の走行制御装置。
【発明の詳細な説明】
【技術分野】
【０００１】
本発明はハイブリッド電気自動車の走行制御装置に係り、詳しくは走行用動力源としてエンジン及びモータを搭載したハイブリッド電気自動車の走行制御装置に関する。
【背景技術】
【０００２】
この種のハイブリッド電気自動車は、減速時や降坂路の走行時には、モータを回生制御することにより車両の運動エネルギを発電電力として回収してバッテリに充電している。また加速時や登坂路の走行時には、バッテリからの放電電力でモータを力行制御して駆動力を発生させ、これによりエンジンの負担を軽減して低燃費化を図っている。
バッテリの満充電時にはモータを回生制御できず、バッテリの過放電時にはモータを力行制御できず、また過度のバッテリの充放電は耐久性を低下させることにもつながる。このため、一般にバッテリを所定の充電率（ＳＯＣ:State Of Charge）の範囲内で制御することにより、常にモータの回生制御や力行制御を実行できる余地を確保すると共に、バッテリの過度の充放電を防止している。
【０００３】
従って、例えば降坂路の走行中においてモータの回生制御によりバッテリのＳＯＣが制御範囲の上限に達すると、この先も降坂路が連続していたとしてもモータの回生制御を中止せざるを得ない。よって、その後は車両の運動エネルギを電力として回収できず、エンジンブレーキやサービスブレーキの作動による熱エネルギとして無駄に捨てられてしまう。
【０００４】
このような不具合に対する対策として、例えば特許文献１の技術が提案されている。この特許文献１の技術では、走行中の車両の前方に降坂路の存在が予測されたときにＳＯＣの制御範囲を拡大し、降坂路への到達までにモータの力行制御によりバッテリのＳＯＣを拡大後の制御範囲の下限まで低下させている。また、その後の降坂路の走行時には、モータの回生制御によりバッテリのＳＯＣを拡大後の制御範囲の上限まで増加させている。
従って、降坂路までの走行中にはバッテリから余分に電力を放電させてモータの駆動に費やすことにより、その分だけエンジンの負担を軽減して燃費節減が可能となる。また、降坂路での走行中にはモータの回生電力を余分にバッテリに充電するため、その電力を後のモータ駆動に利用することで燃費節減が可能となる。
【先行技術文献】
【特許文献】
【０００５】
【特許文献１】特開２００５−１６０２６９号公報
【発明の概要】
【発明が解決しようとする課題】
【０００６】
しかしながら、本来ＳＯＣの制御範囲はバッテリの保護の知見から設定されたものであり、特許文献１の技術のように降坂路の度に制御範囲を拡大すれば、過度の充放電によりバッテリの耐久性が低下してしまう懸念がある。
また、たとえＳＯＣの制御範囲を拡大しても、その拡大領域を別の制限によって有効に利用できない場合もある。即ち、バッテリが充放電するときの電流には熱的な制限があり、限界を超えた充放電電流はバッテリの温度上昇に費やされて破損の要因になる。そこで、バッテリの充放電時の電流Ｉ及び充放電時間Δｔに基づき、次式(1)から発熱量に対応する指標Ｈを算出し、この指標Ｈが予め設定された上限許容値に達すると充放電電流を制限する対策が講じられている。
【数１】
2014111413.tif 000003
ここに、αはバッテリの特性によって定まる係数である。
【０００７】
ところが、ＳＯＣの制御範囲の拡大は充放電時間の延長化につながるため、式(1)に基づく充放電電流の制限によりモータの力行制御や回生制御が中断されてしまう。このため、制御範囲の拡大した領域を有効に利用できなくなり、結果としてＳＯＣの制御範囲を拡大したことによる作用効果が得られなくなる。
本発明はこのような問題点を解決するためになされたもので、その目的とするところは、ＳＯＣの制御範囲の拡大に起因するバッテリの耐久性低下を未然に防止した上で、制御範囲の拡大領域を有効に利用して燃費を向上することができるハイブリッド電気自動車の走行制御装置を提供することにある。
【課題を解決するための手段】
【０００８】
上記目的を達成するため、請求項１の発明は、走行用動力源としてエンジン及びモータを搭載し、エンジンの駆動力及びモータの力行制御による駆動力により走行し、降坂路ではモータを回生制御して発電電力をバッテリに充電するハイブリッド電気自動車の走行制御装置において、バッテリの充電率を予め設定された制御範囲に保ちながら、車両の走行中にエンジン及びモータの運転状態を制御する運転制御手段と、車両の前方に存在する降坂路を予測する降坂路予測手段と、降坂路予測手段により前方の降坂路が予測された場合に、降坂路よりも手前の地点で充電率の制御範囲を拡大する制御範囲拡大手段とを備え、運転制御手段が、制御範囲拡大手段により充電率の制御範囲が拡大されたときに、車両が降坂路に到達するまでにモータの力行制御によりバッテリの充電率を制御範囲の下限側の拡大領域内まで低下させると共に、拡大領域内ではモータに供給する電流を抑制するものである。
【０００９】
請求項２の発明は、請求項１において、運転制御手段が、車両が降坂路に到達して降坂路を走行中のときに、モータの回生制御によりバッテリの充電率を制御範囲の上限側の拡大領域内まで増加させると共に、拡大領域内ではモータにより発電される電流を抑制するものである。
【発明の効果】
【００１０】
以上説明したように請求項１の発明のハイブリッド電気自動車の走行制御装置によれば、車両の前方に降坂路が予測された場合に、降坂路よりも手前の地点でバッテリの充電率の制御範囲を拡大し、車両が降坂路に到達するまでにモータの力行制御によりバッテリの充電率を制御範囲の下限側の拡大領域内まで低下させると共に、拡大領域内ではモータに供給する電流を抑制するようにした。
従って、車両が降坂路に到達するまでの走行中には、バッテリから余分に放電させた電力をモータの駆動に費やすことによりエンジンの負担を軽減して燃費節減を達成できる。そして、下限側の拡大領域内ではバッテリの充電率が緩やかに低下するため、通常の制御範囲を超えた充電率の制御に起因するバッテリの劣化を最小限に抑制できる。また、バッテリの放電時の電流が低減されることから、バッテリの発熱に起因する破損防止のためにモータの力行制御が中断される事態を回避でき、制御範囲の拡大領域を燃費節減のために有効に利用することができる。
【００１１】
請求項２の発明のハイブリッド電気自動車の走行制御装置によれば、請求項１に加えて、車両が降坂路を走行中のときに、モータの回生制御によりバッテリの充電率を制御範囲の上限側の拡大領域内まで増加させると共に、拡大領域内ではモータにより発電される電流を抑制するようにした。
従って、降坂路の走行時には、モータの回生制御によりバッテリに余分に電力を充電し、その電力を後のモータ駆動に利用することにより燃費節減を達成できる。そして、上限側の拡大領域内ではバッテリの充電率が緩やかに増加するため、通常の制御範囲を超えた充電率の制御に起因するバッテリの劣化を最小限に抑制できる。また、バッテリの充電時の電流が低減されることから、バッテリの発熱に起因する破損防止のためにモータの回生制御が中断される事態を回避でき、制御範囲の拡大領域を燃費節減のために有効に利用することができる。
【図面の簡単な説明】
【００１２】
【図１】実施形態の走行制御装置が搭載されたハイブリッド型トラックを示す全体構成図である。
【図２】車両ＥＣＵが実行する降坂路対応モータ制御ルーチンを示すフローチャートである。
【図３】降坂路が予測されたときのモータ制御の実行状況を示すタイムチャートである。
【発明を実施するための形態】
【００１３】
以下、本発明をハイブリッド型トラックの走行制御装置に具体化した実施形態を説明する。
図１は本実施形態の走行制御装置が搭載されたハイブリッド型トラックを示す全体構成図である。
ハイブリッド型トラック１はいわゆるパラレル型ハイブリッド電気自動車として構成されており、以下の説明では、車両と称する場合もある。車両１には走行用動力源としてディーゼルエンジン（以下、エンジンという）２、及び例えば永久磁石式同期電動機のように発電機としても作動可能なモータ３が搭載されている。エンジン１の出力軸にはクラッチ４が連結され、クラッチ４にはモータ３の回転軸を介して自動変速機５の入力側が連結されている。自動変速機５の出力側にはプロペラシャフト６を介して差動装置７が連結され、差動装置７には駆動軸８を介して左右の駆動輪９が連結されている。
【００１４】
自動変速機５は一般的な手動変速機をベースとしてクラッチ４の断接操作及び変速段の切換操作を自動化したものであり、本実施形態では、前進６速後退１速の変速段を有している。当然ながら、変速機５の構成はこれに限るものではなく任意に変更可能であり、例えば手動式変速機として具体化してもよいし、２系統の動力伝達系を備えたいわゆるデュアルクラッチ式自動変速機として具体化してもよい。
【００１５】
モータ３にはインバータ１０を介してバッテリ１１が接続されている。バッテリ１１に蓄えられた直流電力はインバータ１０により交流電力に変換されてモータ３に供給され（力行制御）、モータ３が発生した駆動力は自動変速機５で変速された後に駆動輪９に伝達されて車両１を走行させる。また、例えば車両１の減速時や降坂路での回生走行時には、駆動輪９側からの逆駆動によりモータ３が発電機として作動する（回生制御）。モータ３が発生した負側の駆動力は制動力として駆動輪９側に伝達されると共に、モータ３が発電した交流電力がインバータ１０で直流電力に変換されてバッテリ１１に充電される。
【００１６】
このようなモータ３が発生する駆動力は上記クラッチ４の断接状態に関わらず駆動輪９側に伝達され、これに対してエンジン２が発生する駆動力はクラッチ４の接続時に限って駆動輪９側に伝達される。従って、クラッチ４の切断時には、上記のようにモータ３が発生する正側または負側の駆動力が駆動輪９側に伝達されて車両１が走行する。また、クラッチ４の接続時には、エンジン２及びモータ３の駆動力が駆動輪９側に伝達されたり、或いはエンジン２の駆動力のみが駆動輪側に伝達されたりして車両１が走行する。
【００１７】
車両ＥＣＵ１３は車両全体を統合制御するための制御回路である。そのために車両ＥＣＵ１３には、アクセルペダル１４の操作量θaccを検出するアクセルセンサ１５、ブレーキペダル１６の踏込操作を検出するブレーキスイッチ１７、車両１の速度Ｖを検出する車速センサ１８、エンジン２の回転速度Ｎeを検出するエンジン回転速度センサ１９、モータ３の回転速度Ｎtを検出するモータ回転速度センサ２０、ナビゲーション装置３１（降坂路予測手段）及び通信装置３２（降坂路予測手段）などが接続されている。
また、車両ＥＣＵ１３には、図示はしないがクラッチ４を断接操作するアクチュエータ、及び自動変速機５を変速操作するアクチュエータなどが接続されると共に、エンジン制御用のエンジンＥＣＵ２２、インバータ制御用のインバータＥＣＵ２３、及びバッテリ１１を管理するバッテリＥＣＵ２４が接続されている。
【００１８】
車両ＥＣＵ１３は、運転者によるアクセル操作量θaccなどに基づき車両１を走行させるために必要な要求トルクを算出し、その要求トルクやバッテリ１１のＳＯＣなどに基づき車両１の走行モードを選択する。本実施形態では走行モードとして、エンジン２の駆動力のみを用いるＥ/Ｇモード、モータ３の駆動力のみを用いるＥＶモード、及びエンジン２及びモータ３の駆動力を共に用いるＨＥＶモードが設定されており、その何れかの走行モードを車両ＥＣＵ１３が選択するようになっている。
車両ＥＣＵ１３は選択した走行モードに基づき、要求トルクをエンジン２やモータ３が出力すべきトルク指令値に換算する。例えばＨＥＶモードでは要求トルクをエンジン２側及びモータ３側に配分した上で、その時点の変速段に基づきエンジン２及びモータ３のトルク指令値を算出する。また、Ｅ/Ｇモードでは要求トルクを変速段に基づきエンジン２へのトルク指令値に換算し、ＥＶモードでは要求トルクを変速段に基づきモータ３へのトルク指令値に換算する。
【００１９】
そして、車両ＥＣＵ１３は選択した走行モードを実行すべく、ＥＶモードでは上記クラッチ４を切断し、Ｅ/Ｇモード及びＨＥＶモードではクラッチ４を接続した上で、エンジンＥＣＵ２２及びインバータＥＣＵ２３にトルク指令値を適宜出力する。また、車両１の走行中において車両ＥＣＵ１３は、アクセル操作量θaccや車速Ｖなどに基づき図示しないシフトマップから目標変速段を算出し、この目標変速段を達成すべく、アクチュエータによりクラッチ４の断接操作及び変速段の切換操作を実行する。
【００２０】
一方、エンジンＥＣＵ２２は、車両ＥＣＵ１３から入力された走行モード及びトルク指令値を達成するようにエンジン２の噴射量制御や噴射時期制御を実行する。例えばＥ/ＧモードやＨＥＶモードでは、正側のトルク指令値に対してエンジン２に駆動力を発生させ、負側のトルク指令値に対してエンジンブレーキを発生させる。また、ＥＶモードの場合には、燃料噴射の中止によりエンジン２を停止保持するか、或いはアイドル運転状態とする。
【００２１】
また、インバータＥＣＵ２３は、車両ＥＣＵ１３から入力された走行モード及びトルク指令値を達成するように、インバータ１０を駆動制御する。例えばＥＶモードやＨＥＶモードでは、正側のトルク指令値に対してモータ３を力行制御して正側の駆動力を発生させ、負側のトルク指令値に対してはモータ３を力行制御して負側の駆動力を発生させる。また、Ｅ/Ｇモードの場合には、モータ３の駆動力を０に制御する。
また、バッテリＥＣＵ２４は、バッテリ１１の温度、バッテリ１１の電圧、インバータ１０とバッテリ１１との間に流れる電流などを検出すると共に、これらの検出結果からバッテリ１１のＳＯＣを算出し、このＳＯＣを検出結果と共に車両ＥＣＵ１３に出力する。
【００２２】
以上の制御により、車両１は常に要求トルクに応じたエンジン２やモータ３による駆動力で走行すると共に、バッテリ１１のＳＯＣが予め設定された制御範囲、本実施形態では２５〜７５％の制御範囲内に保たれる（運転制御手段）。
一方、ナビゲーション装置３１は自己の記憶領域に記憶されている地図データ、及びアンテナを介して受信されるＧＰＳ情報などに基づき、車両１の走行中に地図上の自車位置を特定する。通信装置３２は、路側に適宜設置されているデータセンタの路側通信システムとの間で路車間通信を行うと共に、周囲を走行中の他車との間で車々間通信を行う。
【００２３】
通信対象となる情報としては、例えば自車が保有しない地図情報、或いは道路情報（道路のカーブや勾配など）や交通情報（渋滞情報、事故情報、工事情報など）などがある。通信装置３２は、これらの情報を路側通信システムや他車から取得したり、逆にこれらの情報を他車に供給したりする。
車両ＥＣＵ１３はナビゲーション装置３１により特定された自車位置、通信装置３２により取得された道路情報などに基づき、自車の前方に降坂路が存在するか否かを予測する。そして、降坂路の存在を予測したときには、特許文献１の技術と同じく、降坂路よりも手前の地点でバッテリ１１のＳＯＣの制御範囲を拡大し、拡大後の制御範囲に基づきモータ３の力行制御及び回生制御を行うことにより燃費節減を図っている。
【００２４】
ところが、［発明が解決しようとする課題］で述べたように、バッテリ１１の保護のために設定された制御範囲を拡大すると、過度の充放電によりバッテリ１１の耐久性が低下する懸念がある。一方で、制御範囲を拡大したとしても、発熱による破損防止のために式(1)に基づき充放電電流が制限されると、制御範囲の拡大領域を有効に利用できなくなる。
このような問題点を鑑みて本実施形態では、制御範囲の上下限の拡大領域ではモータ３の力行制御や回生制御による電流を抑制する対策を講じており、以下、当該対策のために車両ＥＣＵ１３が実行する処理を説明する。
【００２５】
図２は車両ＥＣＵ１３が実行する降坂路対応モータ制御ルーチンを示すフローチャート、図３は降坂路が予測されたときのモータ制御の実行状況を示すタイムチャートである。図３では、実施形態の制御状況を実線で示し、先行技術である特許文献１の技術の制御状況を破線で示している。
車両ＥＣＵ１３は車両１の走行中に図２のルーチンを所定の制御インターバルで実行している。まず、ステップＳ２でナビゲーション装置３１から自車位置を入力すると共に、通信装置３２から道路情報を取得する。続くステップＳ４では、これらの情報に基づき自車の前方の所定距離（例えば２km）以内に降坂路が存在するか否かを予測し（降坂路予測手段）、判定がＮo（否定）のときには一旦ルーチンを終了する。
【００２６】
また、ステップＳ４の判定がＹes（肯定）のときにはステップＳ５に移行し、ＳＯＣ範囲拡大の要否を判定する。ＳＯＣ範囲拡大の要否の判定は、例えば降坂路から得られる回生エネルギの予測に基づいて行い、ＳＯＣの制御範囲以上の回生エネルギが得られる可能性がある場合にはＳＯＣ範囲拡大を行い、それ以外の場合にはＳＯＣ範囲拡大を行わない。これはバッテリ１１の保護のためであり、これによりバッテリ性能を長期間維持するという効果が期待できる。
【００２７】
ステップＳ５の判定がＮoのときには一旦ルーチンを終了する。また、ステップＳ５の判定がＹesのときにはステップＳ６に移行し、上記ＳＯＣの制御範囲を拡大する（制御範囲拡大手段）。本実施形態では、制御範囲の上限及び下限を均等に５％ずつ拡大して２０〜８０％に変更している。但し、これに限定されるものではなく、拡大幅を変更してもよいし、上限と下限とを不均等に拡大してもよい。
以下、説明の便宜上、通常の制御範囲の上限を通常上限ＳＯＣup、下限を通常下限ＳＯＣlo、拡大後の制御範囲の上限を拡大上限ＳＯＣupex、下限を拡大下限ＳＯＣloexとする。また、通常上限ＳＯＣupから拡大上限ＳＯＣupexまでの領域、及び通常下限ＳＯＣloから拡大下限ＳＯＣloexまでの領域をそれぞれ拡大領域と称する。
【００２８】
その後、車両ＥＣＵ１３はステップＳ８で通常通りの制御内容でモータ３の力行制御を実行する。例えば、このときの走行モードとしてはＨＥＶモードが選択されており、図３に示すようにモータ３を駆動するための消費電力によりバッテリ１１のＳＯＣは次第に低下する。なお、ステップＳ８では、バッテリ１１のＳＯＣを制御範囲の下限側の拡大領域まで確実に低下させるために、通常の制御内容に代えて、例えばモータ３側のトルク配分を増加（エンジン２側のトルク配分は低下）させるような制御を実行してもよい。
【００２９】
車両ＥＣＵ１３は、続くステップＳ１０でバッテリ１１のＳＯＣが通常下限ＳＯＣlo未満であるか否かを判定し、ＮoのときにはステップＳ６に戻る。図３にポイントａで示すように、バッテリ１１のＳＯＣが通常下限ＳＯＣloまで低下すると、車両ＥＣＵ１３はステップＳ１０でＹesの判定を下してステップＳ１２に移行する。ステップＳ１２ではモータ３に供給する電流を抑制した制御内容でモータ３の力行制御を継続する（運転制御手段）。
このため、図３に示すようにバッテリ１１のＳＯＣは下限側の拡大領域内で低下速度を緩めながら低下し続け、ポイントｂで拡大下限ＳＯＣloexに到達した後は拡大下限ＳＯＣloexに保持される。よって、以降はモータ３の力行制御が中止されて、エンジン２の駆動により車両１の走行が継続される。
【００３０】
車両１が降坂路に到達すると運転者のアクセル操作が中止され、車両１は位置エネルギを消費しながら降坂路の走行を開始する。このため、車両ＥＣＵ１３はステップＳ１２からステップＳ１４に移行して回生制御を開始する。ステップＳ１４では、モータ３により発電される電流を抑制した制御内容で回生制御を行う（運転制御手段）。このため、図３のポイントｃで車両１が降坂路に到達すると、バッテリ１１のＳＯＣは下限側の拡大領域内で緩やかに増加し始める。
【００３１】
車両ＥＣＵ１３はステップＳ１６でバッテリ１１のＳＯＣが通常下限ＳＯＣlo以上であるか否かを判定し、ＮoのときにはステップＳ１４に戻る。そして、図３にポイントｄで示すようにＳＣＯが通常下限ＳＯＣloに到達するとステップＳ１６でＹesの判定を下し、ステップＳ１８で通常通りの制御内容でモータ３の回生制御を実行する。その後にステップＳ２０でバッテリ１１のＳＯＣが通常上限ＳＯＣup以上であるか否かを判定し、ＮoのときにはステップＳ１８に戻る。
【００３２】
ステップＳ１８の処理により、モータ３は電流を抑制されることなく回生制御を継続し、ＳＯＣは迅速に増加して図３にポイントｅで示すように通常上限ＳＯＣupに到達する。車両ＥＣＵ１３はステップＳ２０でＹesの判定を下してステップＳ２２に移行し、上記ステップＳ１４と同じく発電電流を抑制した制御内容でモータ３の回生制御を実行し（運転制御手段）、その後にルーチンを終了する。
従って、図３に示すようにバッテリ１１のＳＯＣは上限側の拡大領域内では増加速度を緩めながら増加し続け、ポイントｆで拡大上限ＳＯＣupexに到達する。以降はモータ３の回生制御が中止され、回生制動に代えてエンジンブレーキなどを利用して降坂路での車速Ｖの増加が抑制される。
【００３３】
以上のように、車両１の前方に降坂路の存在が予測されたときには手前の地点でＳＯＣの制御範囲を拡大している。そして、車両１が降坂路に到達するまでの走行中にはバッテリ１１のＳＯＣを制御範囲の下限まで低下させて余分に放電させた電力をモータ３の駆動に費やすことにより、エンジン２の負担を軽減して燃費を節減している。また、その後の降坂路の走行時には、モータ３の回生制御によりバッテリ１１のＳＯＣを拡大上限ＳＯＣupexまで増加させ、余分に充電した電力を後のモータ駆動に利用することで燃費を節減している。
【００３４】
そして本実施形態では、ＳＯＣの制御範囲の上限側及び下限側の拡大領域内においてモータ３の力行制御や回生制御による入出力電流を抑制している。このため図３中に破線で示す先行技術との比較から明らかなように、本実施形態によれば拡大領域内でバッテリ１１のＳＯＣがより緩やかに増減する。このため、通常の制御範囲を超えたＳＯＣの制御に起因するバッテリ１１の劣化を最小限に抑制することができる。
また、結果としてバッテリ１１の充放電時の電流が低減されるため、上式(1)から算出されるＨが上限許容値を超える可能性が低くなる。よって、上限側または下限側の拡大領域内でＳＯＣを制御しているときに、式(1)に基づく充放電電流の制限によってモータ３の力行制御や回生制御が中断されてしまう事態を未然に防止できる。その結果、常に制御範囲の拡大領域を有効に利用してＳＯＣを制御でき、もって上記した燃費節減の作用効果を確実に達成することができる。
【００３５】
以上で実施形態の説明を終えるが、本発明の態様はこの実施形態に限定されるものではない。例えば上記実施形態では、ハイブリッド型トラック１の走行制御装置に具体化したが、これに限るものではなく、例えばハイブリッド型の乗用車やバスなどに具体化してもよい。
【符号の説明】
【００３６】
２    エンジン
３    モータ
１１  バッテリ
１３  車両ＥＣＵ（運転制御手段、降坂路予測手段、制御範囲拡大手段）
３１  ナビゲーション装置（降坂路予測手段）
３２  通信装置（降坂路予測手段）
【図１】
2014111413.tif 000004
【図２】
2014111413.tif 000005
【図３】
2014111413.tif 000006
【手続補正書】
【提出日】平成24年12月18日(2012.12.18)
【手続補正１】
【補正対象書類名】特許請求の範囲
【補正対象項目名】全文
【補正方法】変更
【補正の内容】
【特許請求の範囲】
【請求項１】
走行用動力源としてエンジン及びモータを搭載し、該エンジンの駆動力及び上記モータの力行制御による駆動力により走行し、降坂路では上記モータを回生制御して発電電力をバッテリに充電するハイブリッド電気自動車の走行制御装置において、
上記バッテリの充電率を予め設定された制御範囲に保ちながら、上記車両の走行中に上記エンジン及びモータの運転状態を制御する運転制御手段と、
上記車両の前方に存在する降坂路を予測する降坂路予測手段と、
上記降坂路予測手段により前方の降坂路が予測された場合に、該降坂路よりも手前の地点で上記充電率の制御範囲を拡大する制御範囲拡大手段と
を備え、
上記運転制御手段は、上記制御範囲拡大手段により上記充電率の制御範囲が拡大されたときに、上記車両が上記降坂路に到達するまでに上記モータの力行制御により上記バッテリの充電率を上記制御範囲の下限側の拡大領域内まで低下させると共に、該拡大領域内では上記モータに供給する電流を抑制することを特徴とするハイブリッド電気自動車の走行制御装置。
【請求項２】
上記運転制御手段は、上記車両が上記降坂路に到達して該降坂路を走行中のときに、上記モータの回生制御により上記バッテリの充電率を上記制御範囲の上限側の拡大領域内まで増加させると共に、該拡大領域内では上記モータにより発電される電流を抑制することを特徴とする請求項１記載のハイブリッド電気自動車の走行制御装置。